(57)【要約】      （修正有）【課題】受け取り側の属性ごとに内容をそれぞれ異なるよう作成することができ、開封時において折り返し片があらわれてあたかも２重封筒のように見えて豪華さを演出することができると共に、被収容物を見る前に表示部によりメッセージを伝えることができる封筒を提供する。【解決手段】外袋２と、外袋２の正面よりやや小さく形成され正面の内側に沿うように挿入される一枚式の内紙３とを備える。内紙３の上辺側に第１の折り返し片５の内側に沿うように第２の折り返し片９を設ける。第２の折り返し片９の正面側と反対側の面に文字11ａ、写真11ｂ或いはさし絵11ｃからなる表示部11を印刷により設ける。表示部11を表示部用のコンピュータデータを直接出力するオンデマンド印刷により行う。【選択図】図２
2005170441.tif 000002
【特許請求の範囲】
【請求項１】
正面が矩形をなした偏平な袋本体の前記正面側の上辺に第１の折縁を介して第１の折り返し片を設けると共に、前記袋本体の裏面の前記上辺側に被収容物を出し入れする開封口を形成した外袋と、前記正面よりやや小さく形成され該正面の内側に沿うように挿入される一枚式の内紙とを備え、前記内紙の前記上辺側に前記第１の折り返し片の内側に沿うように第２の折り返し片を設けると共に、前記第２の折り返し片の前記正面側と反対側の面に文字、数字、写真或いはさし絵からなる表示部を印刷により設けた封筒の製造方法において、前記表示部を表示部用のコンピュータデータを直接出力するオンデマンド印刷により行うことを特徴とする封筒の製造方法。
【請求項２】
前記表示部は受け取り側の一人ごと又は受け取り側の属性ごとに内容をそれぞれ異なるようにしたことを特徴とする請求項１記載の封筒の製造方法。
【請求項３】
前記表示部は、予め作成された複数の内容を選択するか或いは該選択した内容を編集するか、又は差し出し側が作一人ごと又は受け取り側成して入稿することを特徴とする請求項１又は２記載の封筒の製造方法。
【発明の詳細な説明】
【技術分野】
【０００１】
本発明は、封筒の製造方法に関するものである。
【背景技術】
【０００２】
従来、この種のものとして挨拶の種類に応じて形状、模様、色彩のうち少なくとも１つが施された封筒 と、該封筒 に少なくとも二つ折りで挿入され、該封筒 に対応する形状、模様、色彩のうち少なくとも１つが施されたプリンタ用紙と、挨拶の種類に応じた文章と、前記封筒 及び前記プリンタ用紙に対応した書式とを備えたパソコン又はワープロ用のデータが記録された記録媒体とが同封されていることを特徴とする挨拶状セットが公知である（例えば特許文献１）。
【特許文献１】特開２００２−３６７５８号公報
【発明の開示】
【発明が解決しようとする課題】
【０００３】
しかしながら、従来のこの種のものでは受け取り側の一人一人或いは受け取り側の属性ごとに内容をそれぞれ異なるよう作成することは費用等の点より困難であった。すなわち、例えば結婚式披露宴の招待状である場合には、親戚用のもの、友人用のもの、勤務先の上司用のもの等、親戚、友人、勤務先等受け取り側の一人一人或いは受け取り側の属性に応じて文章や写真、さし絵等の内容を異なるようにすることはできなかった。
【０００４】
解決しようとする問題点は、受け取り側の属性ごとに内容をそれぞれ異なるよう作成することができる封筒を提供する点である。
【課題を解決するための手段】
【０００５】
請求項１の発明は、正面が矩形をなした偏平な袋本体の前記正面側の上辺に第１の折縁を介して第１の折り返し片を設けると共に、前記袋本体の裏面の前記上辺側に被収容物を出し入れする開封口を形成した外袋と、前記正面よりやや小さく形成され該正面の内側に沿うように挿入される一枚式の内紙とを備え、前記内紙の前記上辺側に前記第１の折り返し片の内側に沿うように第２の折り返し片を設けると共に、前記第２の折り返し片の前記正面側と反対側の面に文字、数字、写真或いはさし絵からなる表示部を印刷により設けた封筒の製造方法において、前記表示部を表示部用のコンピュータデータを直接出力するオンデマンド印刷により行うことを特徴とする封筒の製造方法である。
【０００６】
請求項２の発明においては、前記表示部は受け取り側の一人ごと又は受け取り側の属性ごとに内容をそれぞれ異なるようにしたことを特徴とする請求項１記載の封筒の製造方法である。
【０００７】
請求項３の発明においては、前記表示部は、予め作成された複数の内容を選択するか或いは該選択した内容を編集するか、又は差し出し側が作成して入稿することを特徴とする請求項１又は２記載の封筒の製造方法である。
【発明の効果】
【０００８】
請求項１の発明によれば、開封時において第２の折り返し片があらわれてあたかも２重封筒のように見えて豪華さを演出することができると共に、被収容物を見る前に表示部によりメッセージを伝えることができる。しかも、表示部をオンデマンド印刷により行うことにより、受け取り側の属性等に対応してメッセージ等を比較的容易に印刷することができる
請求項２の発明によれば、受け取り側の一人ごと又は受け取り側の属性に対応してメッセージ等を比較的容易に印刷することができる。
【０００９】
請求項３の発明によれば、印刷会社での編集作業などを最小限としてスピーディな印刷作業等を行うことができる。
【発明を実施するための最良の形態】
【００１０】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１１】
図１〜図５は実施例１を示しており、図１〜図４において、封筒１は、外袋２とこの外袋２に挿入する一枚式の内紙３とを備えている。外袋２は、正面２ａが矩形をなした偏平な袋本体２ｂの正面２ａ側の上辺に第１の折縁４を介して第１の折り返し片５を設け、さらに前記外袋２の裏面２ｃの前記上辺側に開封口６を形成しており、この開封口６は裏面２ｃをやや切り欠いて形成している。そして結婚式、披露宴などの案内状などの二点鎖線で示した例えば結婚披露宴の招待状などの被収容物７を開封口６より出し入れするようになっている。前記内紙３はパルプからなる紙自体からなるものの他に、薄い合成樹脂シートのような紙状のものを含み、そして前記内紙３は前記正面２ａよりやや小さく形成された一枚式のものであって、前記正面２ａの内側に沿うように挿入されている。そして内紙３の前記上辺側には第２の折縁８を介して前記折り返し片５の内側に沿うように第２の折り返し片９を設け、さらに前記第１の折り返し片５の裏面の縁５ａの内側に配置した糊代５ｂのやや外側に前記第２の折り返し片９の上縁９ａを設けている。尚、第２の折縁８は予め形成される折り目により形成されるものであるが、この第２の折縁８は予め形成しておかなくともよい。
【００１２】
さらに、内紙３の幅ａは外袋２の内幅ｂとほぼ同じ長さに形成されており、また外袋２と内紙３は接続されている。この接続は前記内紙３の下縁３ａを前記袋本体２ｂの内側の下縁２ｄ、すなわち袋本体２ｂの底の下縁２ｄのやや上方に配置するようにして、第１の折り返し片５と前記第２の折り返し片９のみを貼り合せ部10を介して接続している。
【００１３】
また、第２の折り返し片９の前記正面２ａ側と反対側の面、すなわち裏面２ｃ側に「御出席下さい」等の文字11ａ、式場等の写真11ｂ或いは花等のさし絵11ｃからなる表示部11を多色印刷により設けている。尚、表示部11は数字でもよく、これら文字11ａ、写真11ｂ、さし絵11ｃ或いは数字のうち少なくとも１種類があればよい。図中符号12は住所、氏名などの差し出し人表示部である。
【００１４】
次に製造方法について説明する。図５において、印刷会社の表示部11の印刷編集及び印刷制御用コンピュータ21には、キーボードやマウスなどの操作部22や画面部23が接続されている。そして、このコンピュータ21には印刷依頼人たる差し出し人のコンピュータ24がインターネットなど通信網を介して接続されており、前記表示部11の文字、数字、写真或いはさし絵等の原稿を入力できるようになっている。尚、コンピュータ24にも原稿作成編集のための操作部25や画面部26が接続されている。この入力は通信網を介さずに磁気記録手段や光ディスク等適宜記憶手段を介して行ってもよい。そして、コンピュータ24にはオンデマンド形印刷機械27が接続されており、さらにコンピュータ24には切断装置28が接続されている。コンピュータ24とオンデマンド形印刷機械27とはオンデマンド（ＯＮ  ＤＥＭＡＮＤ）プリンテング（印刷）のシステムを形成している。このオンデマンドプリンテングのシステムは、従来の印刷技術では必要であった工程である印刷データをフィルムや版に出して、版下、製版、刷版、印刷という工程を不要とし、一方オンデマンドプリンテングのシステムでは、コンピュータ21により原稿などをデザインレイアウトし、そのコンピュータデータを直接出力して図示しない原紙に印刷するという印刷工程かならるものである。そして、このオンデマンド形印刷機械27はカラー（多色）印刷ができるようになっている。
【００１５】
次に必要に応じて原紙を切断装置28によって所定形状に切断して第２の折り返し片９を備えた内紙３を形成するものである。尚、この切断工程は原紙が例えば予め第２の折り返し片９を備えた内紙３形状であれば不要となる。
【００１６】
したがって、製造にあっては表示部11は受け取り側の一人ごと又は受け取り側の属性ごとに内容をそれぞれ異なるように、差し出し人が予め印刷業者や印刷の受け付け業者が作成した複数の内容のうち所望のもの選択するか或いは該選択した内容をさらに編集するか、又は差し出し人がコンピュータ24で作成した表示部11の原稿をコンピュータ24に入力する。この表示部11の原稿は、受け取り側の一人ごと又は受け取り側の属性ごとに内容をそれぞれ異なるよう作成している。例えば結婚式披露宴の招待状である場合には、親戚用のもの、友人用のもの、勤務先の上司用のもの等を個々に作成したり、或いは親戚、友人、勤務先等受け取り側の属性に応じて文章（文字11ａ）、写真11ｂ、さし絵11ｃ等の内容を異なるようにしている。このように表示部11を印刷した内紙３を、被収容物７、例えば結婚式披露宴の招待状と共に外袋２に挿入するものである。この際、予め外袋２に内紙３が挿入されており、そして開封口６より被収容物７を挿入した後に、まず第２の折縁８を介して第２の折り返し片９を谷折りして被収容物７を挟むようにする。次に第１の折縁４を介して第１の折り返し片５を谷折りして開封口６を封ずるものである。尚、開封口６を封ずるときには糊代5ｂに図示しない接着剤を塗布したり、或いは接着シールなどを用いて封ずる。
【００１７】
一方、受け取り人側は開封時に第１の折り返し片５を開くと切り欠き状の開封口６より袋本体２ｂとは内紙３があらわれて美観を感ずる。次に第２の折縁８を介して第２の折り返し片９を開くと、まず表示部11があらわれて、次に被収容物７があらわれるようになり、そして被収容物７を開封口６より取り出すものである。
【００１８】
以上のように前記実施例においては、外袋２と、外袋２の正面２ａよりやや小さく形成され該正面２ａの内側に沿うように挿入される一枚式の内紙３とを備えたことにより、内紙３により光を遮り収容物７が透けて見えるようなことはない。さらに、内紙３の上辺側に第１の折り返し片５の内側に沿うように第２の折り返し片９を設けると共に、前記第２の折り返し片９の前記正面２ａ側と反対側の面に文字11ａ、写真11ｂ或いはさし絵11ｃからなる表示部11を印刷により設けたことにより、開封時において前記第２の折り返し片９があらわれてあたかも２重封筒のように見えて豪華さを演出することができると共に、被収容物７を見る前に表示部11によりメッセージを伝えることができる。また封筒１自体の軽量化や省資源化も図れる。
【００１９】
しかも、表示部11を表示部用のコンピュータデータを直接出力するオンデマンド印刷により行うことにより、受け取り側に対応して多種類のメッセージ等を比較的容易に印刷することができる。
【００２０】
また前記表示部11は受け取り側の一人ごと又は受け取り側の属性ごとに、例えば親戚、友人、勤務先等の一人一人や受け取り側の属性に対応して内容をそれぞれ異なるようにしたことにより、受け取り側に適切な文章などを個々に印刷することができるようになる。
【００２１】
さらに、前記表示部11は予め作成された複数の内容を選択するか或いは該選択した内容を編集するか、又は差し出し側が差し出し人のコンピュータ24により作成して入稿することで、ほぼそのままの情報を表示部11の内容とすることにより、印刷会社での編集作業などを最小限としてスピーディな印刷作業等を行うことができる。
【００２２】
また、前記内紙３の下縁３ａを前記袋本体２ｂの内側の下縁２ｄのやや上方に配置するように前記袋本体２ｂと前記内紙３とを接続すると共に、該接続する箇所を前記第１の折り返し片５と前記第２の折り返し片９のみに貼り合せ部10を介して設けるようにすることにより、第１の折り返し片５を折りたたむと第２の折り返し片９も折りたたまれると共に、この折りたたみ時に内紙３が下方へ移動したとしても、内紙３がそのまま下方に移動するだけなので変形することはなく、しかも下縁２ｄと下縁３ａとの間に隙間があるので、下縁３ａ側も変形することはない。
【００２３】
また、前記開封口６を前記裏面２ｃに切り欠き状に形成したことにより、開封時に第２の折り返し片９等の内紙３があらわれやすくなり、豪華さをいっそう演出することができる。さらに、前記第１の折り返し片９の裏面の上縁５ａに糊代５ｂを形成すると共に、該糊代５ｂのやや外側に前記第２の折り返し片９の上縁９ａを設けることにより、内紙３が糊代5ｂに触れないので、開封時において内紙３を容易に取り出すことができる。しかも、文字11ａ、写真11ｂ或いはさし絵11ｃ等からなる表示部11を多色印刷により設けることで、多色の表示部11となるので、加飾性を高めることができる。
【産業上の利用可能性】
【００２４】
以上、本発明に係る封筒について添付図面を参照して説明してきたが、本発明は前記実施例に限定されるものではなく、本発明の思想の範囲内で種々の変形実施が可能である。例えば、表示部として内紙にそれぞれ異なる数字や記号を表示して、その異なる数字や記号をを宝くじのような当選番号としてゲーム性をもたせたりするなど種々の変形が可能である。
【図面の簡単な説明】
【００２５】
【図１】本発明の実施例１を示す正面図である。
【図２】本発明の実施例１を示す分解状態の背面図である。
【図３】本発明の実施例１を示す展開状態の背面図である。
【図４】本発明の実施例１を示す閉じた状態の背面図である。
【図５】本発明の実施例１を示す説明図である。
【符号の説明】
【００２６】
１  封筒
２  外袋
２ａ  正面
２ｂ  袋本体
２ｃ  裏面
３  内紙
５  第１の折り返し片
６  開封口
９  第２の折り返し片
９ａ  上縁
11  表示部
21  コンピュータ
27  印刷機械
【図１】
2005170441.tif 000003
【図２】
2005170441.tif 000004
【図３】
2005170441.tif 000005
【図４】
2005170441.tif 000006
【図５】
2005170441.tif 000007